(57)【要約】【課題】夜間のような時間帯であっても生ごみ処理に必要な処理能力は維持することができ、季節や地域ごとに最適の処理が行える生ごみ処理機を提供することを目的とする。【解決手段】担体２０を収容し投入する生ごみを発酵処理できる処理槽１３と、前記処理槽１３内に設けられ前記担体２０と前記生ごみを攪拌する攪拌装置１４と、前記処理槽１３内の前記担体２０の温度を調節する加温部１５と、前記処理槽１３内の空気を交換する排気装置１９と、前記処理槽１３を密閉できる蓋部１１と、制御手段２７とを備え、前記制御手段２７は、前記生ごみの含水率が最適になるように、前記加温部１５の加温パターンと前記排気装置１９のファン駆動パターンとを関連させて制御する生ごみ処理機で、処理槽１３内部の担体２０に棲息する微生物の活性度を上げることができる。【選択図】図１ 
2004098064.tif 000002
【特許請求の範囲】
【請求項１】
担体を収容し投入する生ごみを発酵処理できる処理槽と、前記処理槽内に設けられ前記担体と前記生ごみを撹拌する撹拌装置と、前記処理槽内の前記担体の温度を調節する加温部と、前記処理槽内の空気を交換する排気装置と、前記処理槽を密閉できる蓋部と、制御手段とを備え、前記制御手段は、前記生ごみの含水率が最適になるように、前記加温部の加温パターンと前記排気装置のファン駆動パターンとを関連させて制御する生ごみ処理機。
【請求項２】
生ごみの含水率が高ければ、排気装置の回転頻度を上げるとともに、加温部の温度も上昇させる請求項１記載の生ごみ処理機。
【請求項３】
生ごみの含水率が低ければ、排気装置の回転頻度を下げるとともに、加温部の温度も低下させる請求項１または２記載の生ごみ処理機。
【請求項４】
処理槽に２つの温度センサを設置し、前記２つの温度センサの検出温度から、生ごみの含水率を換算する請求項１〜３のいずれかに記載の生ごみ処理機。
【請求項５】
処理槽に温度センサと湿度センサを設け、前記温度センサと前記湿度センサから、前記処理槽内の温度と生ごみの含水率を検出する請求項１〜３のいずれか１項に記載の生ごみ処理機。
【請求項６】
加温パターンとファン駆動パターンとを記憶している記憶手段を有する請求項１〜５のいずれか１項に記載の生ごみ処理機。
【請求項７】
加温パターンとファン駆動パターンは、時間帯ごとに設定されている請求項６記載の生ごみ処理機。
【発明の詳細な説明】
【技術分野】
【０００１】
　本発明は、家庭等で廃棄される生ごみ等を家庭等内で処理できる生ごみ処理機に関するものである。
【背景技術】
【０００２】
　従来、微生物等により有機物を発酵処理する処理装置は、以下のような構成が知られている。図５は従来の生ごみ処理機の外観図である。図５において、１は上蓋、２は本体、３は本体２内に設けられ上蓋１によって密閉が可能な処理槽である。処理槽３内にはオガクズや木質チップからなる微生物の担体１０が収納されており、上蓋１を開けて投入した厨芥等の生ごみを発酵処理できるものである。担体１０に棲息する微生物としては、好気性条件下で活動する細菌、放射菌、糸状菌等があり、とくに５０℃〜６０℃の高温処理時にはバシルス属を主体とする好熱性細菌等に分類されるものが発酵処理に多く寄与するものである。４は撹拌羽根であり、処理槽３内の担体１０と生ごみを撹拌して微生物とまんべんなく混合し、十分な通気性を与え、生ごみを担体１０中に均一に分散させるためのものである。５は処理槽３の内表面に貼り付けた面ヒーター、６は撹拌羽根４を回転駆動するためのモーター、７は撹拌羽根４に取り付けられモーター６によって駆動されるチェーンである。面ヒーター５は処理槽３の下面を広範に均一に加温するため電熱線をほぼ均一に分布させたものであり、最大９０℃程度まで加温できる。９は排気ファンであり、本体２の内部の発酵したガスを含む空気を交換するためののものである。
【０００３】
　以上のように構成された従来の生ごみ処理機の動作について説明する。家庭等から出た厨芥等の生ごみは、生ごみ処理機の上蓋１を開けて処理槽３内に投入される。投入された生ごみは、モーター６を駆動することにより撹拌羽根４の作用で内部の担体１０と混合される。担体１０には好気性の微生物が担持されて棲息しているが、この撹拌によって混合と同時に通気性も与えられるため、微生物への酸素の供給がこれによってなされることになる。そしてさらに微生物による発酵処理を促進するために、面ヒーター５に通電して処理槽３内の環境を５０℃〜６０℃にしている。また排気ファン９を回転させて、発酵のため二酸化炭素の割合が多くなった処理槽３内の空気を外気と交換して十分な酸素を内部に供給するとともに、併せて処理槽３内部の水分の調整を行っている。このように好気性の微生物の棲息条件は概ね酸素と温度と水分によって決まるが、この従来の生ごみ処理機は面ヒーター５と排気ファン９、さらには撹拌羽根４を制御することによって処理に適した環境を実現し、生ごみを発酵して気体と水分に分解処理している（例えば、特許文献１、特許文献２参照）。
【特許文献１】実開平２−１２５９４２号公報
【特許文献２】実開平２−００１２９１号公報
【発明の開示】
【発明が解決しようとする課題】
【０００４】
　ところでこのような従来の生ごみ処理機は昼夜を通して一定の制御を行うものであった。昼間は人間が生活することによって次々と生ごみが生じ、これが生ごみ処理機内に投入されるため、できるだけ迅速な処理をするのが望まれる。しかし夜間に投入される生ごみはほとんどなく、多くの場合は昼に投入された生ごみを処理すればよいものである。従って発酵処理の速度には昼夜の差があってよいのであるが、従来の生ごみ処理機では一定の制御を行うから、生ごみ処理における昼夜の相違を生かした制御となっていなかった。ただ使用者によっては必ずしも昼間に生ごみを投入するのでなく、夜間に生ごみが出てくるところもあり、このようなところでは生ごみの投入の時期がずれ、逆に夜間の処理能力を上げる必要があった。そしてこの昼夜で相違する生ごみ処理も、季節や地域でさらに変化するものであった。
【０００５】
　また、生ごみ処理機を家庭等で用いる場合昼夜をわかたず処理を続けることになるが、生活環境の中に生ごみ処理機をもちこむと小さな騒音であっても考慮が必要になる。とくに昼間は他の騒音にまぎれて気にもならなかった騒音が、夜間になって周囲が静まってくると騒音として意識されるようになるという問題があった。生ごみ処理機では、担体と生ごみを混合する撹拌羽根の撹拌の音と、これを駆動するモーターの音、さらには排気ファンを駆動するモーターの音や回転音等が騒音源として考えられるが、この中では周波数と大きさからみて撹拌羽根の撹拌音とこれを駆動するモーターの騒音が夜間に不快感を与えるものである。
【０００６】
　そこで本願発明は上記の問題点を解決するためのもので、夜間のような時間帯であっても生ごみ処理に必要な処理能力は維持することができ、季節や地域ごとに最適の処理が行え、運転しても騒音が少ない生ごみ処理機を提供することを目的とする。
【発明の効果】
【０００７】
　処理槽内部の担体に棲息する微生物の活性度を上げた生ごみ処理機を提供することができる。
【課題を解決するための手段】
【０００８】
　この課題を解決するために本発明の生ごみ処理機は、担体を収容し投入する生ごみを発酵処理できる処理槽と、前記処理槽内に設けられ前記担体と前記生ごみを撹拌する撹拌装置と、前記処理槽内の前記担体の温度を調節する加温部と、前記処理槽内の空気を交換する排気装置と、前記処理槽を密閉できる蓋部と、制御手段とを備え、前記制御手段は、前記生ごみの含水率が最適になるように、前記加温部の加温パターンと前記排気装置のファン駆動パターンとを関連させて制御するもので、処理槽内部の担体に棲息する微生物の活性度を上げることができる。
【発明を実施するための最良の形態】
【０００９】
　本発明の請求項１に記載の発明は、担体を収容し投入する生ごみを発酵処理できる処理槽と、前記処理槽内に設けられ前記担体と前記生ごみを撹拌する撹拌装置と、前記処理槽内の前記担体の温度を調節する加温部と、前記処理槽内の空気を交換する排気装置と、前記処理槽を密閉できる蓋部と、制御手段とを備え、前記制御手段は、前記生ごみの含水率が最適になるように、前記加温部の加温パターンと前記排気装置のファン駆動パターンとを関連させて制御する生ごみ処理機で、処理槽内部の担体に棲息する微生物の活性度を上げることができる。
【００１０】
　請求項２に記載の発明は、生ごみの含水率が高ければ、排気装置の回転頻度を上げるとともに、加温部の温度も上昇させるもので、処理槽内部の担体に棲息する微生物の活性度を上げることができる。
【００１１】
　請求項３に記載の発明は、生ごみの含水率が低ければ、排気装置の回転頻度を下げるとともに、加温部の温度も低下させるもので、処理槽内部の担体に棲息する微生物の活性度を上げることができる。
【００１２】
　請求項４に記載の発明は、処理槽に２つの温度センサを設置し、前記２つの温度センサの検出温度から、生ごみの含水率を換算するもので、生ごみの含水率を換算することができ、処理槽内部の担体に棲息する微生物の活性度を上げる構成を実現できる。
【００１３】
　請求項５に記載の発明は、処理槽に温度センサと湿度センサを設け、前記温度センサと前記湿度センサから、前記処理槽内の温度と生ごみの含水率を検出するもので、生ごみの含水率を検出することができ、処理槽内部の担体に棲息する微生物の活性度を上げる構成を実現できる。
【００１４】
　請求項６に記載の発明は、加温パターンとファン駆動パターンとを記憶している記憶手段を有するもので、処理槽内部の担体に棲息する微生物の活性度を上げる構成を実現できる。
【００１５】
　請求項７に記載の発明は、加温パターンとファン駆動パターンは、時間帯ごとに設定されているもので、１日のうちの昼と夜といった時間帯のみならず、１年単位で冬と夏といった季節を織り込んだ時間帯とすることもでき、昼と夜、冬と夏においても、処理槽内部の担体に棲息する微生物の活性度を上げる構成を実現できる。
【００１６】
　以下、本発明の実施の形態について、図１（ａ）（ｂ）（ｃ）〜図４を用いて説明する。
【００１７】
　（実施の形態１）
　本発明の実施の形態１のについて説明する。図１（ａ）は本発明の一実施の形態における生ごみ処理機の外観図、図１（ｂ）は本発明の一実施の形態における生ごみ処理機の一部破砕図、図２（ａ）は本発明の一実施の形態における生ごみ処理機の第１ブロック図、図３は本発明の一実施の形態における生ごみ処理機のフローチャートである。
【００１８】
　図１（ａ）（ｂ）、図２（ａ）において、１１は上蓋、１２は生ごみ処理機の本体、１３は処理槽である。上蓋１１は本実施の形態１の蓋部を構成し、処理槽１３を密閉できるものである。１４は撹拌羽根、１５は面ヒーター、１６はモーター、１７はスプロケット、１８はチェーン、１９は排気ファン、２０は担体である。面ヒーター１５が本実施の形態１の加温部であり、排気ファン１９が排気装置を構成する。なお、これらの機能はいずれも図５で説明した従来の生ごみ処理機の符号１〜１０のものとそれぞれ同一である。本体１２の中に処理槽１３が設けられ、処理槽１３の内部に撹拌羽根１４が回転自在に横架されている。この撹拌羽根１４は回転軸とこの回転軸から垂直に延びた複数枚の羽根板とを備え、回転によって処理槽１３内の担体２０と投入された生ごみをかき混ぜ、混合することができる。撹拌羽根１４の回転軸にはスプロケット１７が設けられており、チェーン１８によって回転される。このチェーン１８はモーター１６に掛けられており、モーター１６の回転によって撹拌羽根１４は駆動されることになる。モーター１６の回転を減速して伝達する伝達手段であれば、チェーン１８のほかに歯車でもかまわない。撹拌羽根１４による撹拌によって、生ごみと担体２０は混合されて十分な通気性が与えられ、好気性条件下で活動する細菌、放射菌、糸状菌等、とくに以下述べるように５０℃〜６０℃の高温処理を行うことが多いため、バシルス属を主体とする好熱性細菌等の微生物が担体２０に棲息して生ごみは発酵処理されるものである。
【００１９】
　処理槽１３の下面には内表面に面ヒーター１５が貼り付けられている。面ヒーター１５は処理槽１３の下面を均一に加温することができるように電熱線をほぼ均一に分布させたものであり、最大９０℃程度まで加温できる。この面ヒーター１５は電源部（図示しない）に接続されるとともに、マイクロコンピューター等の制御手段２７によって４０℃〜６０℃とくに５０℃〜６０℃になるようにＯＮ−ＯＦＦ制御される。加温するための加温パターンは、後記するように排気ファン１９のファン駆動パターンと関連させて４０℃〜６０℃になるように制御するが、併せて含水率も最適になるように選んでいる。もし含水率が高ければパターンを変え排気ファン１９の回転頻度を上げるとともに面ヒーター１５の温度も上昇させ、含水率が低ければ排気ファン１９の回転頻度を下げ、面ヒーター１５の温度も低下させるものである。
【００２０】
　次に２２は水晶振動子等を使用し絶対時刻を出力する時計手段である。時計手段２２の出力する絶対時刻を基に、制御手段２７は１日のどこの時間帯かを判断する。２３は上蓋１１を開けたとき撹拌羽根１４等の駆動を停止させるための蓋開閉スイッチ、２４は発酵処理をするための処理状況設定入力部、２５は処理状況設定入力部２４から入力されたデータやこのデータに基づいて時間帯ごとに予め設定された運転のための撹拌パターン、あるいは後記する加温パターン、ファン駆動パターンを記憶している記憶手段である。記憶手段２５には時間帯における最適なパターンが記憶されている。この時間帯というのは、１日のうちの昼と夜といった時間帯であるが、さらに１年単位で冬と夏といった季節を織り込んだ時間帯とするのが適当である。またこれは寒冷地や温暖地で異なったものとするのが望ましい。
【００２１】
　そこで記憶手段２５に記憶されている撹拌パターンについてまず説明する。この撹拌パターンというのは、撹拌羽根１４の回転速度と、１時間当たり何分間、何分間隔で何回繰り返して撹拌するかという撹拌頻度を要素としている。これは間欠運転の間欠パターンとも言い換えることができる。本実施の形態１の場合、回転速度は３ｒｐｍ〜３０ｒｐｍ程度であり、寒冷地と温暖地の中間的な気候の土地における撹拌パターンを一例としてとりあげ、以下説明するような設定をしている。なおこの設定を標準のパターンとして、寒冷地と温暖地とではこれを少しシフトすることでそれぞれの撹拌パターンの設定をすることができる。このような中間的な気候の土地においては、春や秋のような平均的な季節の時間帯には昼間は回転数５ｒｐｍ、１時間当たり５分を間欠的に２回繰り返すという撹拌パターンを採用し、夜間は回転数２ｒｐｍ、１時間当たり１分１回というパターンを繰り返す撹拌パターンを採用している。しかしこれは冬場には、昼間の回転数を１０ｒｐｍ、１時間当たり５分を２回間欠的に、夜間には回転数を５ｒｐｍ、１時間当たり２分を２回間欠的に繰り返す撹拌パターンにするのが望ましい。また夏場には、昼間の回転数を３ｒｐｍ、１時間当たり５分を２回間欠的に、夜間には回転数を１ｒｐｍ、１時間当たり２分を２回間欠的に繰り返す撹拌パターンとするのが適当である。
【００２２】
　ところでこのような撹拌パターンは、時間帯ごとに生ごみ処理機の発酵処理能力と騒音の大きさを検討して選択されている。夜間は騒音と処理能力を昼間より下げるようにするとともに、夏場の方を冬場より騒音と処理能力を下げるようにしている。寒冷地では中間的な気候の土地のところと比較して昼夜ともに回転数、撹拌頻度のどちらか、もしくは両方を上げれば適当な撹拌パターンを得ることができるし、温暖地では逆に昼夜ともに回転数、撹拌頻度のどちらか、もしくは両方を下げれば適当な撹拌パターンを得ることができる。
【００２３】
　続いて２６は温度センサである。処理槽１３内部の担体２０に棲息する微生物の活性度を上げるのは、担体２０と生ごみの温度が４０℃〜６０℃、担体２０と生ごみの混合物の水分環境すなわち含水率が４０％〜６０％という環境においてである。温度センサ２６はこのような処理槽１３内の温度を検出し、制御手段が４０℃〜６０℃になるように面ヒーター１５への通電を制御している。同時に撹拌羽根１４による撹拌と、排気ファン１９による換気とをさらに組み合わせることで含水率４０％〜６０％という環境も実現している。
【００２４】
　そこでこの含水率の検出について説明する。温度センサ２６を処理槽１３の内部に向けて近傍（１０ｍｍ〜６０ｍｍ間隔）に２つ設置すると、２つの温度センサ２６の検出温度から含水率を換算することができる。これは次のことを利用している。すなわち担体２０の含水率が高いと担体２０の熱伝導率が低くなり、面ヒーター１５から発熱された熱があまり伝わらなくなる。逆に含水率が低いと担体２０の熱伝導率が高くなり、面ヒーター１５からの熱を速やかに伝え、処理槽１３内の温度が高くなる。そこで２つの温度センサ２６で面ヒーター１５の近傍位置の２ヶ所の温度を検出してやれば、熱伝導によって担体２０と生ごみの混合物の含水率を換算することができる。ただ温度センサ２６を２つ設置するかわりに、温度センサ２６を１つと湿度センサを設けて、温度と含水率を直接検出するのでもよい。
【００２５】
　制御手段２７が含水率を換算すると、制御手段２７は撹拌パターンのほかに記憶手段２５から温度と含水率に対応した当該時間帯のファン駆動パターンと加温パターンを読みだし、これに基づいて面ヒーター１５と排気ファン１９を制御する。本実施の形態１では寒冷地と温暖地の中間的な気候の土地における生ごみ処理を想定しているから、中間的な気候の土地でのファン駆動パターンと加温パターンについて説明する。ただこの実施の形態１においてはファン駆動パターンに関しては昼間と夜間で空気の交換のパターンに差を設けていない。しかし季節の差は大きいので季節間でファン駆動パターンを次のように考慮している。春や秋のような平均的な季節の時間帯としては、排気ファン１９は含水率が６０％以上のときは連続運転を行い、含水率が４０％以下のときは５分間に１０秒の割合の運転（以下、１０秒／５分の断続運転という。）、含水率が４０％〜６０％の範囲にあるときは１分／５分の断続運転を行っている。ところで夏や冬の場合、含水率６０％以上のときは夏冬問わず連続運転するが、４０％以下のときは冬場には５秒／５分の断続運転が望ましく、夏場には１５秒／５分の断続運転をするのが望ましい。また含水率が４０％〜６０％の範囲にあるときの冬場は５０秒／５分の断続運転を行うパターンが望ましく、夏場には７０秒／５分の断続運転とするパターンが適当である。寒冷地では中間的な気候のところと比較して運転時間を長くし、温暖地では短くすればよい。
【００２６】
　そして以上のような含水率に対して加温パターンがどのようになるのかを説明すると、含水率が６０％以上のときには、面ヒーター１５は４０℃〜６０℃のうち５５℃〜６０℃にＯＮ−ＯＦＦ制御するのが望ましく、含水率４０％〜６０％のときには４５℃〜５５℃、含水率４０％以下のときには４０℃〜４５℃の温度で加温するようにＯＮ−ＯＦＦ制御するのが適当である。なお、本実施の形態１においては中間的な気候の土地を想定しているため、含水率の制御に昼夜の差を設ける必要性が低く、制御を簡単にするため加温パターンとファン駆動パターンに昼間と夜間で差を設けていない。しかし、排気ファン１９の回転音が必要以上に大きい場合など、夜間に断続運転の比率を落としたり、回転数を下げて回転音を低下させるか、不快度を低下させるのが適当である。
【００２７】
　２８は７セグメントや、ＬＣＤ、ＬＥＤ等の表示手段である。表示手段２８には、現在の時刻、処理槽１３内の温度、含水率、現在行われている撹拌パターン等が表示されるものである。
【００２８】
　そこで本実施の形態１の生ごみ処理機が行う図３に基づいて撹拌動作について詳細に説明する。処理状況設定入力部２４から処理槽１３内の設定温度、設定含水率、寒冷地か温暖地か中間的気候の土地かを入力する（ステップ１）。制御手段２７はこれらの設定情報に対応して予め記憶手段２５に記憶されている加温パターン、ファン駆動パターンおよび撹拌パターンを選択し（ステップ２）、時計手段２２から出力される絶対時刻に基づいてステップ２で選択した加温パターン、ファン駆動パターンと撹拌パターンの具体的な加温の温度、ファン回転数、ファン回転頻度、回転速度、撹拌頻度等を決定する（ステップ３）。例えば時間帯として午前６時から午後６時からを昼、午後６時から午前６時を夜とするものであれば、午前１０時なら昼の加温パターン、ファン駆動パターンと撹拌パターンを選択する。そして決定されたデータは記憶手段２５に記憶され、このデータに従って制御手段２７が生ごみ処理機の運転を継続することになる。次に現在の絶対時刻から現在の時間帯の加温パターン、ファン駆動パターンと撹拌パターンを切り換える時期が到来しているか否かを制御手段２７が判断し（ステップ４）、次の時間帯が到来した場合再度ステップ３に戻って、次の時間帯の具体的な加温の温度、ファン回転数、ファン回転頻度、回転速度、撹拌頻度等を決定する。
【００２９】
　そして次の時間帯が到来していなければ、制御手段２７は記憶されたデータに基づき、加温の温度に従って面ヒーター１５を、またファン回転数、ファン回転頻度に従って排気ファン１９の制御を行う（ステップ５）。撹拌動作を行う前に上蓋１１が閉じていることを確認し（ステップ６）、上蓋１１が開いている場合は撹拌動作をしない。撹拌頻度はいわば間欠運転の間欠パターンであるから、読みだした所定の間欠パターンで撹拌羽根１４を運転する（ステップ７）。従って次の時間帯の加温パターン、ファン駆動パターンおよび撹拌パターンに切り換えられるまでステップ４に戻っては、現在のパターンである具体的な加温の温度、ファン回転数、ファン回転頻度、回転速度、撹拌頻度で運転を継続することになる。そして次の時間帯が到来すれば上記したようにステップ４からステップ３に戻ることになる。このようにして時間帯ごとに加温パターン、ファン駆動パターンと撹拌パターンを変更しながら発酵処理することができる。そして時間帯のうち昼夜で撹拌パターンを変えれば、撹拌頻度、撹拌羽根１４の回転速度を低下させることができ、生ごみ処理機から発生する騒音を小さく、しかも夜間であるから生ごみの投入は少なく生ごみ処理機の処理能力は落とさないで処理を続けることができる。
【００３０】
　（実施の形態２）
　本発明の実施の形態２のについて説明する。図１（ｃ）は本発明の一実施の形態における生ごみ処理機の要部外観図、図２（ｂ）は本発明の一実施の形態における生ごみ処理機の一部破砕図、図４は本発明の一実施の形態における生ごみ処理機の光センサを用いた場合のフローチャートである。
【００３１】
　図１（ａ）（ｂ）（ｃ）、図２（ｂ）において、１１は上蓋、１２は本体、１３は処理槽、１４は撹拌羽根、１５は面ヒーター、１６はモーター、１７はスプロケット、１８はチェーン、１９は排気ファン、２０は担体である。２２は時計手段、２３は蓋開閉スイッチ、２４は処理状況設定入力部、２５は記憶手段である。２６は温度センサ、２７は制御手段、２８は表示手段である。実施の形態２において実施の形態１の生ごみ処理機と符号が同一のものは機能が基本的に同一であるから、詳細な説明は実施の形態１の説明に譲って省略する。
【００３２】
　２１はＣｄＳセルに代表される光導電セルを用いた光センサで、図１（ｃ）記載のように本体１２の前面に設けられている。雨水や泥、埃等のはねを避けるため、接地面から５ｃｍ以上の高さに設けるのが望ましい。そして光センサ２１の設置箇所は本体１２の前面に限られるものではなく、本体１２の背面を壁に合わせて配置するときの背面等のように光が遮断されるところ以外であれば、概ねどのようなところに設置してもかまわない。光センサ２１は外部の照度を検出して制御手段２７に送り、制御手段２７は記憶手段２５に記憶されている所定の設定照度と比較して下がれば夜になったと判断し、上がれば昼になったと判断するものである。ＣｄＳセルを光センサとして用いた場合には、ＣｄＳセルから制御手段２７に取り込まれた電圧が所定電圧以下か以上かで昼夜の判断が行われる。そしてこの所定の電圧を通過することで次の時間帯に入ったと判断される。
【００３３】
　そこで本実施の形態２の生ごみ処理機が行う撹拌動作について図４に基づいて詳細に説明する。処理状況設定入力部２４から処理槽１３内の設定温度、設定含水率、寒冷地か温暖地か中間的気候の土地かを入力する（ステップ１）。制御手段２７はこれらの設定情報に対応して予め記憶手段２５に記憶されている加温パターン、ファン駆動パターンおよび撹拌パターンを選択し（ステップ２）、光センサ２１から出力される出力信号に基づいて、ステップ２で選択した当該時間帯（昼か夜か）における加温パターン、ファン駆動パターン、撹拌パターンの具体的な（昼か夜かの）加温の温度、ファン回転数、ファン回転頻度、回転速度、撹拌頻度等を決定する（ステップ３）。そして決定されたデータは記憶手段２５に記憶され、このデータに従って制御手段２７が生ごみ処理機の運転を継続することになる。次に現在の光センサ２１の出力信号から現在の時間帯（昼か夜か）の加温パターン、ファン駆動パターンおよび撹拌パターンを切り換える時期が到来しているか否かを制御手段２７が判断し（ステップ４）、次の時間帯（昼か夜か）が到来した場合再度ステップ３に戻って、次の時間帯（昼か夜か）の具体的な加温の温度、ファン回転数、ファン回転頻度、回転速度、撹拌頻度等を再度決定する。
【００３４】
　そして次の時間帯（昼か夜か）が到来していなければ、制御手段２７は記憶された前記データに基づいて加温の温度に従って面ヒーター１５を、またファン回転数、ファン回転頻度に従って排気ファン１９の制御を行う（ステップ５）。撹拌動作を行う前に上蓋１１が閉じていることを確認し（ステップ６）、上蓋１１が開いている場合は撹拌動作をしない。撹拌頻度はいわば間欠運転の間欠パターンであるから、読みだした所定の間欠パターンで撹拌羽根１４を運転させる（ステップ７）。従って次の時間帯（昼か夜か）の加温パターン、ファン駆動パターンおよび撹拌パターンに切り換えられるまでステップ４に戻っては、現在のパターンである具体的な加温の温度、ファン回転数、ファン回転頻度、回転速度、撹拌頻度で運転を継続することになる。従って次の時間帯（昼か夜か）が到来すれば上記したようにステップ４を経てステップ３に戻ることになる。このようにして時間帯ごとに加温パターン、ファン駆動パターン、撹拌パターンを変更しながら発酵処理することができる。そして昼夜で撹拌パターンを変えて、撹拌頻度、撹拌羽根１４の回転速度を低下させたので、夜間に生ごみ処理機から発生する騒音は小さく、処理能力は落とさないで処理を続けることができる。光センサ２１で検出した現実の照度で制御するから、画一的に時間帯の判断をするより現実に即した昼夜の制御をすることができる。
【産業上の利用可能性】
【００３５】
　以上のように本発明の生ごみ処理機は、処理槽内部の担体に棲息する微生物の活性度を上げた生ごみ処理機を提供することができるので、家庭用、業務用を問わず、微生物を用いた生ごみ処理機全般に有用である。
【図面の簡単な説明】
【００３６】
【図１】（ａ）本発明の一実施の形態における生ごみ処理機の外観図（ｂ）本発明の一実施の形態における生ごみ処理機の一部破砕図（ｃ）本発明の一実施の形態における生ごみ処理機の要部外観図
【図２】（ａ）本発明の一実施の形態における生ごみ処理機の第１ブロック図（ｂ）本発明の一実施の形態における生ごみ処理機の一部破砕図
【図３】本発明の一実施の形態における生ごみ処理機のフローチャート
【図４】本発明の一実施の形態における生ごみ処理機の光センサを用いた場合のフローチャート
【図５】従来の生ごみ処理機の外観図
【符号の説明】
【００３７】
　１、１１　上蓋
　２、１２　本体
　３、１３　処理槽
　４、１４　撹拌羽根
　５、１５　面ヒーター
　６、１６　モーター
　７、１７　スプロケット
　８、１８　チェーン
　９、１９　排気ファン
　１０、２０　担体
　２１　光センサ
　２２　時計手段
　２３　蓋開閉スイッチ
　２４　処理状況設定入力部
　２５　記憶手段
　２６　温度センサ
　２７　制御手段
　２８　表示手段
【図１】
2004098064.tif 000003
【図２】
2004098064.tif 000004
【図３】
2004098064.tif 000005
【図４】
2004098064.tif 000006
【図５】
2004098064.tif 000007